(57)【要約】【課題】使い古された手漕ぎボートなどをリサイクルして、水上で安定性を有し、ボートの利用者が免許不要で操縦することのできるフィッシングボートを提供する。【解決手段】ＦＲＰで製造されたボートをリサイクルして製造されるリサイクルボート１において、少なくとも二隻のボートのそれぞれを長さ方向に短縮して接合した短縮単胴部２と、当該短縮単胴部２を左右方向に並べて連結する連結部３と、当該連結部３に取り付けられる推進動力源４とを有するようにする。また、この連結部３を、前記ボートを短縮化する際に切断された切断部２６を覆うように設けるようにする。【選択図】図１
2010143493.tif 000002
【特許請求の範囲】
【請求項１】
ＦＲＰで製造されたボートをリサイクルして製造されるリサイクルボートにおいて、
ボートを長さ方向に短縮して接合した短縮単胴部と、
当該短縮単胴部を左右方向に少なくとも二隻並べ、左右の短縮単胴部を連結する連結部と、
当該連結部によって連結された短縮単胴部もしくは連結部に取り付けられた動力源と、
を備えてなることを特徴とするリサイクルボート。
【請求項２】
前記連結部が、前記ボートを短縮する際に切断された切断部を覆うように設けられたものである請求項１に記載のリサイクルボート。
【請求項３】
ＦＲＰで製造されたボートをリサイクルするボートの製造方法において、
ボートを切断して長さ方向に短縮する工程と、
当該短縮させた短縮単胴部を左右方向に少なくとも二隻並べ、左右の短縮単胴部を連結する工程と、
当該連結された短縮単胴部もしくは連結部に動力源を取り付ける工程とを備えてなることを特徴とするボートの製造方法。
【発明の詳細な説明】
【技術分野】
【０００１】
本発明は、使用されなくなった手漕ぎボートなどをリサイクルできるようにしたリサイクルボートに関するものである。
【背景技術】
【０００２】
従来より、湖沼などにおいてはレジャー用の手漕ぎボートなどが普及している。このような手漕ぎボートは、レンタル用として湖岸の店舗に多数保有されているものであって、一般に、ＦＲＰによって製造されるものである。ところで、このような手漕ぎボートは、レンタル用として使用されなくなった場合には、そのまま廃船として処理される。
【０００３】
しかるに、このような手漕ぎボートを廃船として処理する場合、ボート本体がＦＲＰで製造されているために産業廃棄物として処理しなければならず、多額の廃棄費用が発生してしまう。
【０００４】
一方、近年では、ブラックバスなどの外来魚の釣り愛好家が増加してきており、これに伴ってフィッシングボートの需要が高まってきている。このようなフィッシングボートは、小型の電動機を搭載してなるもので、利用者がキャスティングしながらフィッシングポイントに移動できるように足で操作できるようにしたものである。ところで、このような動力源を有するボートに関しては、従来では、小型船舶４級の免許が必要であったが、２００３年（平成１５年）６月の小型船舶免許の改定により、船の長さが３ｍ未満（＝船の全長×０．９）で推進器の出力が１．５ｋｗ未満であれば、小型船舶操縦免許が不要になった。そこで、このような廃船を、免許不要のフィッシングボートとして利用することができるか否かが検討されている。
【０００５】
しかしながら、このような従来の手漕ぎボートをフィッシングボートとして利用すると、次のような問題を生ずる。
【０００６】
すなわち、従来の手漕ぎボートはファミリー向け（３〜４人乗り）に利用されていたものであるため、船の長さが３ｍを超えるものが多い。このため、このようなボートをフィッシングボートとして利用できるようにした場合、必ず免許が必要になってしまう。また、手漕ぎボートは単胴（モノハル）構造を有するものであるため、フィッシングをするには非常に不安定なものとなり、さらに、キャスティング用の高椅子をコックピットに取り付けると、より不安定になってしまう。
【０００７】
これに対して、図６に示すように、単胴船を左右方向に連結させて安定化を図るようにした構造のカヌー６（特許文献１）や、図７に示すように、両サイドにアウトリガー７１を取り付けて安定させるようにしたボート７などが提案されている（特許文献２）。
【特許文献１】特開２００２−２４０７８１号公報
【特許文献２】特開平０６−３２１１７９号公報
【発明の開示】
【発明が解決しようとする課題】
【０００８】
しかしながら、このようなボートのうち、前者のようにカヌーを左右方向に連結する構造であると、コックピット６１まで連結棒６２を張り渡さなければならないため、コックピット６１における快適性が失われてしまう。しかも、船の長さが３ｍを超えている場合は、いずれにしても免許が必要になってしまう。
【０００９】
また、後者のようにアウトリガー７１を取り付ける構造では、アウトリガー７１に乗ることができないため、キャスティングの際に、アウトリガー７１が邪魔になってルアーを投げることができなくなってしまう。
【００１０】
そこで、本発明は上記課題に着目してなされたものであり、従来の手漕ぎボートなどをリサイクルして安定したフィッシングボートを提供できるようにすることを目的とする。
【課題を解決するための手段】
【００１１】
すなわち、本発明は上記課題を解決するために、ＦＲＰで製造されたボートをリサイクルして製造されるリサイクルボートにおいて、ボートを長さ方向に短縮して接合した短縮単胴部と、当該短縮単胴部を左右方向に少なくとも二隻並べ、左右の短縮単胴部を連結する連結部と、当該連結された短縮単胴部もしくは連結部に取り付けられた動力源とを備えるようにしたものである。
【００１２】
このようにすれば、ボートを長さ方向（すなわち、ボートの進行方向）に短縮することによって、免許を有していない者にも動力源付きのフィッシングボートとして貸し出しすることができるようになる。また、このようにボートを短縮した場合であっても、左右に短縮単胴部を連結することによって、ボート自体を安定させることができるようになる。
【００１３】
さらに、このような発明において、好ましくは、ボートを短縮する際に切断された切断部を連結部で覆うようにする。
【００１４】
このようにすれば、ボートを切断して構造的に弱くなった部分をその連結部によって補強することができるため、左右のボートを連結するための作用と、切断した部分を補強する作用とを連結部に持たせることができるようになる。
【発明の効果】
【００１５】
本発明は、ＦＲＰで製造されたボートをリサイクルして製造されるリサイクルボートにおいて、ボートを長さ方向に短縮して接合した短縮単胴部と、当該短縮単胴部を左右方向に少なくとも二隻並べ、左右の短縮単胴部を連結する連結部と、当該連結された短縮単胴部もしくは連結部に取り付けられた動力源とを備えるようにしたので、免許を有していない者に対してもフィッシングボートとして貸し出しすることができる。また、このようにボートを短縮した場合であっても、左右に短縮単胴部を連結することによってボート自体を安定させることができるようになる。
【発明を実施するための最良の形態】
【００１６】
以下、本発明の一実施の形態について図面を参照しながら説明する。図１は、本実施の形態におけるリサイクルボート１の斜視図であり、図２は、図１におけるＡ−Ａ断面図、また、図３は、図１におけるＢ−Ｂ断面図である。また、図４は、本実施の形態において再利用される手漕ぎボート５の斜視図であり、図５は、図４のボートを長さ方向に短縮する状態を示した図である。
【００１７】
本実施の形態におけるリサイクルボート１は、使用されなくなった手漕ぎボートをそれぞれ長さ方向に短縮した短縮単胴部２と、二隻の短縮単胴部２を左右方向に並べ、これらの短縮単胴部２を連結する連結部３と、この連結部３に取り付けられる推進動力源４（電動式船外機４０）を有してなるものであって、このように船の長さ方向に短縮することによって、免許を所有していない者に対しても貸し出しすることができるようにし、さらに、短縮単胴部２を左右方向に連結することによって、船の安定化を図り、切断部分を補強できるようにしたものである。以下、本実施の形態におけるリサイクルボート１の構成について詳細に説明する。
【００１８】
リサイクルボート１を構成する短縮単胴部２は、船の長さが３ｍ以内に短縮される点を除いては、図４に示す従来のボート５と同様の構成を有している。すなわち、短縮単胴部２は、図２に示すように、ボトム２１から左右に側壁部２２を立ち上げるとともに、後方部分にトランサム２３を設け、船体２４のコックピットに着座部としての甲板２５を取り付けるようにしている。このようなリサイクルボート１を構成する場合は、このような短縮単胴部２を二隻用意し、それぞれを左右方向に連結する。なお、ボートを短縮する場合、ボート５のどの部分を切断してもよいが、スターン部分やバウ部分を切断すると、ボートの側壁部２２が不連続になってしまい、デザイン性が悪くなってしまう。そこで、最も胴部の太い部分であるミッドシップ部分を一定長さに亘って切り抜くとともに、前方部分と後方部分を接合し、これによって側壁部２２に連続性を持たせるようにしている。
【００１９】
連結部３は、このようにして構成された短縮単胴部２を左右方向に並べて連結するためのものであって、図１から図３に示すように、第一の連結部材３１及び第二の連結部材３２と、第一の連結部材３１の上面に取り付けられる板部材３３とを備える。このように短縮単胴部２を連結する場合、側壁部２２の上端部であるガンネル部分だけを左右に連結したのでは、乗船時に生じる浮力のモーメントによって、連結部３に亀裂を生じてしまう可能性がある。一方、その第一の連結部材３１をガンネル部分からコックピットまで大きく掛け渡すようにすると（すなわち図６に示すようにした状態）、コックピットが狭くなってしまい、使用の際の快適性が失われてしまう。そこで、ガンネル部分のみを第一の連結部材３１で連結するとともに、喫水線の上方部分であるトップサイド部分についても第二の連結部材３２で連結して亀裂の発生を防止するようにしている。また、この第一の連結部材３１と第二の連結部材３２を設ける場合、図３に示すように、前方部分に傾斜部を設けて水の浸入を防ぐとともに、後方部分については、内部に入った水を抜き取れるように開放している。このような第一の連結部材３１や第二の連結部材３２を取り付ける場合は、短縮単胴部２の切断部２６を覆うようにして取り付ける。
【００２０】
これら第一の連結部材３１や第二の連結部材３２について詳述すると、第一の連結部材３１や第二の連結部材３２は、図２に示すように、断面略下向きコの字状に構成されるものであって、それぞれ上面部３１ａ、３２ａ及び側面部３１ｂ、３２ｂを備えるように構成される。
【００２１】
このうち、第一の連結部材３１は、短縮単胴部２のガンネル部分の連結と、短縮単胴部２の切断部２６を補強するような下向き略コの字状に設けられる。第一の連結部材３１を短縮単胴部２に取り付けるときは、上面部３１ａが短縮単胴部２のガンネル部分と面一となるようにしてエポキシ樹脂などで接着し、さらに、その上面に板部材３３を取り付けるようにする。
【００２２】
一方、第二の連結部材３２は、図２などに示すように、第一の連結部材３１よりも下方のトップサイド部分で短縮単胴部２を連結するとともに、短縮単胴部２の切断部２６を補強するように、下向き略コの字状に設けられる。この大に連結部材３２は、スターン部分から船体２４のミッドシップ部分にかけて水平に設けられ、そこから前方に向かって上方に傾斜させるように構成される。そして、このように傾斜させることによって、波が当たった場合であっても、水を切れるようにしている。また、このように連結部材３１、３２を上下に二カ所設けることによって、各短縮単胴部２を左右方向に確実に連結するとともに、切断部２６についても前後方向に補強する。なお、このような連結部材３１、３２は、断面形状が略コの字状のものに限られるものではなく、例えば、断面が長方形状の連結部材３１、３２を用いることもできる。
【００２３】
また、このような連結部材３１、３２のうち、第一の連結部材３１の上面には板部材３３が取り付けられる。この板部材３３は、図３などに示すように、左右の短縮単胴部２を連結するとともに、船首側に電動式船外機４０を取り付けるためのものであって、アルミなどの金属や木材などによって構成される。板部材３３は、第一の連結部材３１よりも前方側に長い形状であって、左右方向に幅広に構成されていて、その後端部分を第一の連結部材３１の後端部分に揃えてネジで固定される。
【００２４】
このような板部材３３の前方には、推進動力源４としての電動式船外機４０が搭載される。この電動式船外機４０は、電動モータ（図示せず）の回転によってプロペラ４１を回転させて推進力を得るためのものであって、リサイクルボート１の利用者がその足でボートを運転できるようにしたものである。この電動式船外機４０には、このような電動モータ、プロペラ４１のほかに、電動式船外機４０を連結部３に取り付けるための取付部４２や、電動モータに電源を供給するバッテリー（図示せず）、これらの駆動を制御する制御部４３などが取り付けられる。このような電動式船外機４０を取り付ける場合は、取付部４２を板部材３３の前方に載せ、その状態でボルトなどによって固定する。このようにして連結部３に電動式船外機４０を取り付ければ、電動式船外機４０によって短縮単胴部２内のスペースが侵されるようなことがなくなり、ボートの利用者は広いコックピット内で快適にフィッシングを楽しむことができるようになる。また、このようにして電動式船外機４０を操縦する場合には、操縦者は足で制御部４３を操作してプロペラ４１の回転数や向きを制御し、これによりリサイクルボート１の走航速度や進行方向を操縦できるようにする。
【００２５】
次に、従来のボート５から図１などに示すようなリサイクルボート１を製造する方法について説明する。
【００２６】
まず、従来のボート５を切断して長さ方向に短縮する工程では、廃船となった手漕ぎボート５などを二隻、好ましくは、同一形状のものを用意しておき、図５に示すように、その船の長さが３ｍ以内になるようにミッドシップ部分を二か所切断する。そして、ボートの中央部分を取り除き、切断されたボートを再び接着する。このとき、前方と後方の側面が連続するようにして切断・接着する。このとき、接着剤としては、エポキシ系の接着剤やシリコン系の接着剤などを用いる。
【００２７】
そして、このように短縮された短縮単胴部２を二隻、所定の間隔を空けて左右に並べて連結していく。この連結工程では、連結部３によって短縮単胴部２を連結するとともに、短縮工程で切断された切断部２６を補強するようにする。これにより、ボートを安定させるとともに、切断部２６の補強によってボートが水上で分離してしまうことを防止することができる。このとき、第一の連結部材３１及び第二の連結部材３２は、短縮単胴部２の切断部２６と直交するような状態で取り付けていく。なお、短縮単胴部２と連結部材３１、３２との接着には上述のＦＲＰ用の接着剤を用いる。そして、第一の連結部材３１を取り付けるに際して、第一の連結部材３１の上面部３１ａが短縮単胴部２の側壁部２２上面と連続面となるようにして取り付けていき、この第一の連結部材３１の後端と板部材３３の後端とを揃えるようにして板部材３３を取り付けていく。
【００２８】
そして、連結部３の板部材３３に推進動力源４を取り付ける工程で、板部材３３の前方において電動式船外機４０を取り付ける。すなわち、この工程では、電動式船外機４０の取付部４２を板部材３３の前方に載置した状態でボルトなどによって固定していく。
【００２９】
そして、最後に、短縮単胴部２にフィッシング用の高椅子や生け簀などを取り付けていく。
【００３０】
このように上記実施の形態によれば、ＦＲＰで製造されたボートをリサイクルして製造されるリサイクルボート１において、従来のボート５を長さ方向に短縮して接合した短縮単胴部２と、短縮単胴部２を左右方向に並べて連結する連結部３とを有するようにしたので、船の長さを３ｍ以内に抑えることができ、免許を所有していない利用者に対しても貸し出しすることができるようになる。また、このとのようにボート５を切断して短縮した場合であっても、左右に短縮単胴部を連結することによってボート自体を安定させることができるようになる。
【００３１】
また、短縮単胴部２の切断部２６を連結部３で覆うようにしたので、切断によって構造的に弱くなった部分を補強することができるため、左右のボートを連結するための作用と、切断した部分を補強する作用とを持たせることができるようになる。
【００３２】
なお、本発明は上記実施の形態に限定されることなく、種々の態様で実施することができる。
【００３３】
例えば、上記実施の形態においては、二隻の短縮単胴部２を連結する場合について説明したが、三隻以上の短縮単胴部２を連結するようにしてもよい。この場合、中央部分の短縮単胴部２を最も長くしておき、左右の短縮単胴部２を短くしておくとよい。
【００３４】
また、上記実施の形態においては、使い古された手漕ぎボート５をリサイクルする場合について説明したが、リサイクルされる手漕ぎボート５に限らず、カヌーやその他のプレジャーボートであってもよい。
【００３５】
また、上記実施の形態では、連結部３として、第一の連結部材３１及び第二の連結部材３２と、板部材３３とを用いる場合について説明したが、これに限らず、例えば、板部材３３を設けることなく第一の連結部材３１に推進動力源４を取り付けるようにしてもよい。また、連結部材は１つでもよく、又は３つ以上設けるようにしてもよい。
【００３６】
さらに、上記実施の形態においては、推進動力源４として電動式船外機４０を用いている場合について説明したが、免許の必要となる出力を有するエンジンなどを搭載してもよい。
【００３７】
さらに、上記実施の形態では、リサイクルボート１をフィッシングボートとして利用する場合について説明したが、リサイクルボート１の用途としては、フィッシング用に限定されるものではなく、様々な用途に利用することができる。
【図面の簡単な説明】
【００３８】
【図１】本実施の形態におけるリサイクルボートの斜視図
【図２】図１におけるＡ−Ａ断面図
【図３】図１におけるＢ−Ｂ断面図
【図４】同形態において再利用される手漕ぎボートの斜視図
【図５】図４のボートを短縮する状態を示す図
【図６】特許文献１に記載するボートの平面図
【図７】特許文献２に記載するボートの平面図
【符号の説明】
【００３９】
１・・・リサイクルボート
２・・・短縮単胴部
２１・・・ボトム
２２・・・側壁部
２３・・・トランサム
２４・・・船体
２５・・・甲板
２６・・・切断部
３・・・連結部
３１・・・第一の連結部材
３１ａ・・・上面部
３１ｂ・・・側面部
３２・・・第二の連結部材
３２ａ・・・上面部
３２ｂ・・・側面部
３３・・・板部材
４・・・推進動力源
４０・・・電動式船外機
４１・・・プロペラ
４２・・・取付部
４３・・・制御部
５・・・手漕ぎボート
【図１】
2010143493.tif 000003
【図２】
2010143493.tif 000004
【図３】
2010143493.tif 000005
【図４】
2010143493.tif 000006
【図５】
2010143493.tif 000007
【図６】
2010143493.tif 000008
【図７】
2010143493.tif 000009